(57)【要約】【課題】押し釦の戻り時に発生する衝突音の中高周波数域を低減できるスイッチ装置を提供すること。【解決手段】押し釦は、上方に回動軸１２を有し、この回動軸１２がフロントパネルのホルダ２１の収容部２２内に挿入されカバーパネル３０で塞がれて回動可能に支持される。収容部２２は、回動軸１２の直径より短くされており、回動軸１２の取り付け時にホルダ２１の縦壁２１ａとカバーパネル３０の内面壁３０ａとで回動軸１２を押圧し、衝突時発生する音の周波数を変化させ、中高周波数域を低減させた。【選択図】　図１
2004031156.tif 000002
【特許請求の範囲】
【請求項１】
回動軸を有する押し釦と、前記押し釦により切り替えられるスイッチと、前記回動軸を収容して前記押し釦を回動可能に狭持する押し釦狭持部とを備えたことを特徴とするスイッチ装置。
【請求項２】
前記押し釦狭持部は、断面コ字状で前記回動軸を収容するホルダと、前記ホルダの開口部側に取り付けられるカバーパネルとを有し、前記ホルダと前記カバーパネルとで前記回動軸を狭持したことを特徴とする請求項１に記載のスイッチ装置。
【請求項３】
前記ホルダの前記開口部は、弾性変形可能であることを特徴とする請求項２に記載のスイッチ装置。
【請求項４】
前記押し釦狭持部の内部に前記回動軸を収容する際の挿入部を有し、前記挿入口端縁に前記回動軸の落下を防止する突起部を有したことを特徴とする請求項１に記載のスイッチ装置。
【請求項５】
前記押し釦を複数個備え、隣り合う前記押し釦の前記回動軸間が連結部で繋がれていることを特徴とする請求項１乃至請求項４に記載のスイッチ装置。
【発明の詳細な説明】
【０００１】
【発明の属する技術分野】
本発明は、押し釦が回動軸周りに回動してスイッチを切り替えるようにしたスイッチ装置に関するものである。
【０００２】
【従来技術】
従来、この種のスイッチ装置は、図７に示すように操作者が押圧する押し釦１００と、リアパネル６００に固定され押し釦１００により切り替えられるスイッチ５００と、押しボタン１００を回動自在に支持するフロントパネル２００とを備え、押し釦１００を押圧して回動軸１２０周りに回動させることによりスイッチ５００の接点を閉じるようにしていた。
この場合、押し釦１００は、押し釦１００の上方に設けた回動軸１２０が、フロントパネル２００のホルダ２１０内に形成されカバーパネル３００で蓋をされた収容部２２０内に入れられて回動自在に支持されていた。
【０００３】
【発明が解決しようとする課題】
しかし、このような従来のスイッチ装置では、押し釦１００の回動軸１２０が収容部２２０に隙間をもって入れられ回動抵抗を受けることなくスムーズに回動できるようにされていたために、押し釦１００がスイッチ５００の図示しないスプリング力により押し戻されると、押し釦１００のストッパ部１４０がフロントパネル２００に瞬間的に衝突し、これらがプラスティックなどの材料で形成され、かつ押し釦の回動軸の支持が緩やかになっていることから、中周波数から高周波数のはねかえり音が発生して耳障りとなるという問題があった。
本発明はこのような問題を解決するためになされたもので、押し釦が戻されたときに発生する中周波数から高周波数のはねかえり音を低減できるようにしたスイッチ装置を提供するものである。
【０００４】
【課題を解決するための手段】
本発明のスイッチ装置は、回動軸を有する押し釦と、前記押し釦により切り替えられるスイッチと、前記回動軸を収容して前記押し釦を回動可能に狭持する押し釦狭持部とを備えた構成を有している。この構成により、押し釦が戻される方向に回動運動して押し釦狭持部側に衝突しても、狭間隔部位が回動軸を押圧しながら支持しているので、衝突時に発生する押し釦のはねかえり音の周波数が変化し、耳障りな中周波数から高周波数域のはねかえり音を低減できることとなる。
【０００５】
また、本発明のスイッチ装置は、回動軸を有する押し釦と、前記押し釦により切り替えられるスイッチと、前記回動軸を収容して前記押し釦を回動可能に狭持する押し釦狭持部とを備えるとともに、前記押し釦狭持部が、断面コ字状で前記回動軸を収容するホルダと、前記ホルダの開口側に取り付けられるカバーパネルとを有し、前記ホルダと前記カバーパネルとで前記回動軸を狭持した構成を有している。この構成により、耳障りな中周波数から高周波数のはねかえり音を低減できるほか、簡単な構造で狭間隔部位を作り出すことが可能となる。
【０００６】
また、本発明のスイッチ装置は、回動軸を有する押し釦と、前記押し釦により切り替えられるスイッチと、前記回動軸を収容して前記押し釦を回動可能に狭持する押し釦狭持部とを備えるとともに、前記回動軸を収容するホルダと、前記ホルダの開口側に取り付けられるカバーパネルとを有し、前記ホルダと前記カバーパネルとで前記回動軸を狭持し、前記ホルダの前記開口部が、弾性変形可能である構成を有している。この構成により、耳障りな中周波数から高周波数のはねかえり音を低減できるほか、押し釦を押し釦狭持部に取り付ける際に開口部を弾性変形させて回動軸をホルダ内へ挿入しホルダ内に保持できるので、回動軸が確実にホルダ内に保持された状態でカバーパネルをホルダに取り付けることが可能であるので、取付作業が容易になる。
【０００７】
また、本発明のスイッチ装置は、回動軸を有する押し釦と、前記押し釦により切り替えられるスイッチと、前記回動軸を収容して前記押し釦を回動可能に狭持する押し釦狭持部とを備えるとともに、前記押し釦狭持部の内部に前記回動軸を収容する際の挿入部を有し、前記挿入口端縁に前記回動軸の落下を防止する突起部を有した構成を有している。この構成により、ホルダのみで回動軸の脱落防止と回動軸の狭間隔部位による押圧とが可能となり、カバーパネルが不要となる。
【０００８】
また、本発明のスイッチ装置は、回動軸を有する押し釦と、前記押し釦により切り替えられるスイッチと、前記回動軸を収容して前記押し釦を回動可能に狭持する押し釦狭持部とを備えるとともに、前記押し釦を複数個備え、隣り合う前記押し釦の前記回動軸間が連結部で繋がれている構成を有している。この構成により、複数個の押し釦を備えたスイッチ装置を組み立てるときその都度１個１個押し釦を持ってきて押し釦狭持部取り付けるといった面倒な作業から解放され、組立時間を短縮することが可能となる。
【０００９】
【発明の実施の形態】
以下、本発明の実施の形態について、図面を用いて説明する。
図２は本発明の第１の実施の形態のスイッチ装置１を斜め前方からみた分解斜視図である。また図３は本発明の第１の実施の形態のスイッチ装置１の一部を断面にした側面図である。
これらの図に示すように、本発明の第１の実施の形態のスイッチ装置１は、操作者により押圧される押し釦１０と、押し釦１０を回動可能に支持するフロントパネル２０と、押し釦１０により切り替えられるスイッチ５０とを有する。
【００１０】
押し釦１０は、押圧部１１と、押圧部１１の裏側の周りから上下左右に広げて形成したストッパ部１４と、ストッパ部１４の上方の両端にそれぞれ設けた２つの回動軸１２、１３とが一体に形成されている。
スイッチ５０は、裏面側がリアパネル６０に固定されており、内部に２つの固定接点と、この固定接点に当接可能な可動接点を有し図示しないスプリングにて押し釦１０の下方のストッパ部１４に向け付勢された２本のスイッチバー５１、５２とを有する。
【００１１】
フロントパネル２０は、押し釦１０の押圧部１１が挿入される釦孔２５に沿って裏側へ突出した筒部２３と、この上方に断面がコ字状のホルダ２１とを有する。ホルダ２１の内部は空洞となってカバーパネル３０で蓋をすることができるようになっており、ホルダ２１とカバーパネル３０とで囲まれた収容部２２がフロントパネル２０の長手方向に沿って２箇所互いに離れた位置に形成されている。
【００１２】
２つの収容部２２には、押し釦１０の両回動軸１２、１３がそれぞれ収容される。図１にこの収容の状態を拡大（理解のため、やや誇張して描いてある）して示す。同図において、ホルダ２１の収容部２２の奥方向の深さ（同図中、水平左右方向）は、回動軸１２の直径よりわずかに短くし、上下方向の高さは回動軸１２および回動軸１３の直径よりわずかに長くしてある。したがって、ホルダ２１の縦壁２１ａとカバーパネル３０の内面壁３０ａとは、これらがなす間隔が回動軸１２および回動軸１３の直径より短くなっており、本発明の狭間隔部位を形成している。
【００１３】
なお、回動軸１２および回動軸１３は、カバーパネル３０のホルダ２１への取り付け前では側面が点線１２Ａで描く円形をしており、ホルダ２１の開口部２６かえらわずか外側へ突出している。そして、回動軸１２および回動軸１３は、ホルダ２１の開口部２６からそれぞれ収容部２２内へ挿入した後、カバーパネル３０を両回動軸１２、１３を押圧しながらホルダ２１に固定すると、ホルダ１２の奥方向の深さが回動軸１２の直径より短いので、ホルダ３０の縦壁２１ａとカバーパネル３０の内面壁３０ａとで形成した狭間隔部位にて回動軸１２が半径方向に押圧され、回動軸１２が実線で示すように上下方向に長くなるような楕円状に変形するとともに、カバーパネル３０も回動軸１２により一部が外側へ押し出されて弾性変形する。なお、弾性変形した回動軸１２は、同図中、ホルダ２１の上下面に接触しているが、隙間がある状態でもよい。
【００１４】
したがって、回動軸１２は、ホルダ２１とカバーパネル３０とで形成した狭間隔部位にて水平方向に押圧された状態となり、押し釦１０が戻り方向（図３の矢印６０で示す方向）に回動すると、押し釦１０のストッパ部１４がフロントパネル２０の筒部２３に衝突するが、両回動軸１２、１３がホルダ２１とカバーパネル３０とで形成した狭間隔部で押圧支持されているので、上記衝突によるはねかえり音の周波数が変化し、耳障りな中周波数から高周波数域が低減する。
【００１５】
以上のように、本発明の第１の実施の形態のスイッチ装置１は、押し釦１０の両回動軸１２、１３をホルダ２１とカバーパネル３０とで形成した狭間隔部位で押圧しながら挟み込むようにしたので、押し釦１０が戻され回動しフロントパネル２０の筒壁２３に衝突しても、押し釦１０の両回動軸１２、１３が狭間隔部位で押圧されているので、この衝突時のはねかえり音の周波数が変化し、耳障りな中周波数から高周波数域が低減することが可能となる。
【００１６】
図４は本発明の第２の実施の形態の要部拡大断面図を示す。なお、第２の実施の形態で第１の実施の形態と実質的に同じ部分には同じ符号を付してその説明を省略する。また、同図にあっては、収容部２２Ａの形状、回動軸１２および回動軸１３と収容部２２Ａとの隙間、回動軸１２および回動軸１３やカバーパネル３０の変形等は、理解のため誇張して描いてある。この実施の形態では上記第１の実施の形態とホルダ２１および収容部２２Ａの形状が異なる。
【００１７】
すなわち、ホルダ２１は、断面が台形状となる収容部２２Ａを有している。収容部２２Ａは、開口部２６が回動軸１２および回動軸１３の直径より狭くして設定あるものの、下側ホルダ片部２１Ａが弾性変形して開口２６を開き回動軸１２および回動軸１３の挿入が可能となるように設定してある。また、収容部２２Ａの内部は、回動軸１２および回動軸１３が挿入された状態では、上下左右に回動軸１２および回動軸１３が移動できる隙間があるものの、開口２６までの水平方向の長さは、回動軸１２および回動軸１３の直径より短く設定してあるので、カバーパネル３０をホルダ２１に取り付けてないときは、回動軸１２および回動軸１３がこれらの一部が開口部２６から突出するようになる。
【００１８】
押し釦１０をフロントパネル２０に取り付けるには、まず回動軸１２および回動軸１３を開口部２６から収容部２２Ａ内へ下側ホルダ片部２１Ａを弾性変形させながら挿入する。収容部２２Ａに入った回動軸１２および回動軸１３は、収容部２２Ａを囲む壁面に対し、隙間が若干ある状態となる。この後、カバーパネル３０を両回動軸１２、１３の開口部２６からの突出部分に当接させホルダ１２側に押圧しながらホルダ２１に取り付ける。そうすると、ホルダ１２の縦壁２１ａとカバーパネル３０の内面壁３０ａとで構成した狭間隔部位が回動軸１２および回動軸１３の直径より狭いので、狭間隔部位間で回動軸１２および回動軸１３を水平方向に圧縮し、これらの回動軸１２、１３とカバーパネル３０を変形させる。
【００１９】
この構成によれば、第１の実施の形態と同様に、押し釦１０の戻り時にフロントパネル２０の筒壁２３に衝突して発生するはねかえり音の周波数が変化し、耳障りな中周波数から高周波数域が低減することが可能となる。また、ホルダ２１の開口部２６が回動軸１２および回動軸１３の直径より狭く設定しかつ下側ホルダ片２１Ａの弾性変形により回動軸１２および回動軸１３を収容部２２Ａ内に挿入可能としているので、回動軸１２および回動軸１３をホルダ２１へ挿入したら、回動軸１２および回動軸１３が収容部２２Ａから外れにくくなる結果、カバーパネル３０の取付作業が容易となる。
【００２０】
図５は本発明の第３の実施の形態の要部拡大断面図を示す。なお、第２の実施の形態で第１の実施の形態と実質的に同じ部分には同じ符号を付してその説明を省略する。また、同図にあっては、収容部２２Ｂの形状、回動軸１２および回動軸１３と収容部２２Ｂとの隙間、回動軸１２および回動軸１３やカバーパネル３０の変形等は、理解のため誇張して描いてある。この実施の形態では上記第１の実施の形態とホルダ２１および収容部２２Ｂの形状が異なるほか、カバーパネルを有しない。
【００２１】
フロントパネル２０のホルダ２１は、開口２６が回動軸１２および回動軸１３の直径より狭くなるように設定した２つの突起部２１ｂ、２１ｃを開口２６の位置に設け、回動軸１２および回動軸１３の収容部２２Ｂへの挿入時には下面ホルダ片２１Ｂが弾性変形してホルダ２１側の突出部２１ｂと下面ホルダ片２１Ｂ側の突出部２１ｃの間が開いて開口部２６が回動軸１２および回動軸１３の直径以上となることができるように設定されている。また、収容部２２Ｂは、第１および第２の実施形態の場合と異なり、回動軸１２および回動軸１３が挿入されたときホルダ２１の弾性力で回動軸１２および回動軸１３を保持する大きさおよび形状とされる。これにより、ホルダ２１だけでこの収容部２２Ｂ内に回動軸１２および回動軸１３を弾性保持できるので、押し釦の戻り時に生ずる衝突音を低減することができ、カバーパネルを不要とすることが可能となる。
【００２２】
図６は、本発明の第４の実施の形態の要部拡大断面図を示す。なお、第４の実施の形態で第１の実施の形態と実質的に同じ部分には同じ符号を付してその説明を省略する。この実施の形態では、押し釦を第１の実施の形態の押し釦１０と同一構成の押し釦７０を連結して構成している。押し釦７０は、押圧部７１と、押圧部７１の裏側の周りから上下左右に広げて形成したストッパ部７４と、ストッパ部７４の上方の両端にそれぞれ設けた２つの回動軸７２、７３とが一体に形成されている。そして、押し釦１０の回動軸１３と押し釦７０の回動軸７２との間が、回動軸１３と回動軸７２よりねじり剛性が低い連結分８０で一体に連結されている。
【００２３】
なお、連結部８０のねじり剛性は、両回動軸１０、７２をフロントパネル２０に取り付けたとき、一方の押し釦を押圧しても他方の押し釦が回動してスイッチを切り替えることがない強さに設定してある。両回動軸１０、７２は、フロントパネル２０に設けた図示しない２つの釦孔にそれぞれ挿入される。この構成により、複数の押し釦１０、７０を有するスイッチ装置のフロントパネルの釦孔にそれぞれの押し釦１０、７０を挿入するとき、一度に互いに連結された押し釦１０と押し釦７０を取り上げ、各釦孔に挿入でき、スイッチ装置の組立作業が容易になり作業時間が短縮される。
【００２４】
なお、上記実施の形態では各回動軸１２、１３、７２、７３を円形の断面としているが、これに限られず、たとえば楕円としてもよい。また、図６の第４の実施の形態にあっては、押し釦は２個に限られず、２個以上あればよい。また、回動軸１２、１３は、狭間隔部位で押圧される方向はどの方向であってもよく、この場合収容室２２、２２Ａ内では上下方向に隙間があるように収容してもよいし、あるいは左右方向に隙間があるようにしてもよい。
【００２５】
【発明の効果】
以上説明したように、本発明は押し釦の回動軸を狭間隔部位で押圧して支持することにより、押し釦が戻されたときに発生する中周波数から高周波数のはねかえり音を低減できるというすぐれた効果を有するスイッチ装置を提供することができるものである。
【図面の簡単な説明】
【図１】本発明の第１の実施の形態の要部の拡大断面図
【図２】本発明の第１の実施の形態のスイッチ装置の分解斜視図
【図３】本発明の第１の実施のスイッチ装置の側方断面図
【図４】本発明の第２の実施の形態の要部の拡大断面図
【図５】本発明の第３の実施の形態の要部の拡大断面図
【図６】本発明の第４の実施の形態の押し釦の図
【図７】従来のスイッチ装置の側方断面図
【符号の説明】
１　スイッチ装置
１０　押し釦
１２、１３　回動軸
２０　フロントパネル
２１　ホルダ
２１ｂ、２１ｃ　突出部
２２、２２Ａ、２２Ｂ　収容部
２６　開口部
３０　カバーパネル
５０　スイッチ
【図１】
2004031156.tif 000003
【図２】
2004031156.tif 000004
【図３】
2004031156.tif 000005
【図４】
2004031156.tif 000006
【図５】
2004031156.tif 000007
【図６】
2004031156.tif 000008
【図７】
2004031156.tif 000009